(57)【要約】  複数の伝送装置を備え、１つの伝送装置と他の１つの伝送装置とを、伝送路または伝送路および伝送装置で接続した経路をパスとして確立するネットワークにおいて、伝送装置または伝送路で障害が発生した場合に、障害を検知した伝送装置から送信される警報を監視する警報監視装置１であって、警報に含まれる検出時刻、発生場所、警報重要度、および発生場所を経路とするパスのＩＤの情報を記録するための警報データベース１４と、受信した警報の情報を警報データベース１４に登録し、警報データベース１４から、パスＩＤごとに、警報重要度および検出時刻に基づいて１つの警報を抽出し、検出時刻を警報発生時刻として、抽出した警報のパスＩＤについて、警報発生時刻および警報重要度を関連付けて警報発生中パスリストとして表示する制御を行う監視制御部１１と、を備える。
2012081076.tif 000002
【特許請求の範囲】
【請求項１】
複数の伝送装置を備え、１つの伝送装置と他の１つの伝送装置とを、伝送路、または伝送路および前記２つの伝送装置以外の伝送装置、で接続した経路をパスとして確立するネットワークにおいて、前記伝送装置または前記伝送路で障害が発生した場合に、障害を検知した伝送装置から送信される警報を監視する警報監視装置であって、
前記警報に含まれる検出時刻、発生場所、警報重要度、および前記発生場所を経路とするパスのＩＤの情報を記録するための警報データベースと、
受信した警報の情報を前記警報データベースに登録し、前記警報データベースから、パスＩＤごとに、警報重要度および検出時刻に基づいて１つの警報を抽出し、前記検出時刻を警報発生時刻として、抽出した警報のパスＩＤについて、前記警報発生時刻および前記警報重要度を関連付けて警報発生中パスリストとして表示する制御を行う監視制御手段と、
を備えることを特徴とする警報監視装置。
【請求項２】
前記監視制御手段は、前記警報発生中パスリストとして、パスＩＤごとに、最も高い警報重要度を持ち、当該最も高い警報重要度を持つ警報が２つ以上ある場合は最新の警報発生時刻を持つ警報を表示する、
ことを特徴とする請求項１に記載の警報監視装置。
【請求項３】
前記監視制御手段は、保留タイマを備え、受信した警報に含まれるパスＩＤについて、最初に当該パスＩＤのパスについての警報を受信した後、または、当該パスＩＤについて警報発生中パスリストを表示してから最初に当該パスＩＤのパスについての警報を受信した後、前記保留タイマで規定された期間が経過するまで、前記警報発生中パスリストに表示する処理を待機する、
ことを特徴とする請求項１に記載の警報監視装置。
【請求項４】
さらに、
ネットワーク内で確立されているパスのＩＤ、パスを構成する伝送装置および伝送路の情報を記録するためのパスデータベースと、
を備え、
前記監視制御手段は、所定の伝送装置または伝送路を経路とするパスを非表示とする表示マスク指示を受け付けた場合、前記パスデータベースを検索して当該指示された伝送装置または伝送路を経路とするパスの情報を取得し、取得したパスについて警報発生中パスリストに非表示とする制御を行う、
ことを特徴とする請求項１に記載の警報監視装置。
【請求項５】
さらに、
ネットワーク内で確立されているパスのＩＤ、パスを構成する伝送装置および伝送路の情報を記録するためのパスデータベースと、
を備え、
前記監視制御手段は、所定の伝送装置または伝送路を経路とするパスを非表示とする表示マスク指示を受け付けた場合、前記パスデータベースを検索して当該指示された伝送装置または伝送路を経路とするパスの情報を取得し、取得したパスについて、予め規定された期間だけ警報発生中パスリストに非表示とする制御を行う、
ことを特徴とする請求項１に記載の警報監視装置。
【請求項６】
複数の伝送装置を備え、１つの伝送装置と他の１つの伝送装置とを、伝送路、または伝送路および前記２つの伝送装置以外の伝送装置、で接続した経路をパスとして確立するネットワークにおいて、前記伝送装置または前記伝送路で障害が発生した場合に、障害を検知した伝送装置から送信される警報を監視する警報監視装置における警報監視方法であって、
前記警報監視装置が、
前記警報に含まれる検出時刻、発生場所、警報重要度、および前記発生場所を経路とするパスＩＤの情報を記録するための警報データベース、を備える場合に、
前記警報監視装置が、受信した警報の情報を前記警報データベースに登録する登録ステップと、
前記警報監視装置が、前記警報データベースから、パスＩＤごとに、警報重要度および検出時刻に基づいて１つの警報を抽出し、前記検出時刻を警報発生時刻として、抽出した警報のパスＩＤについて、前記警報発生時刻および前記警報重要度を関連付けて警報発生中パスリストとして表示する、
を含むことを特徴とする警報監視方法。
【請求項７】
前記表示制御ステップでは、前記警報発生中パスリストとして、パスＩＤごとに、最も高い警報重要度を持ち、当該最も高い警報重要度を持つ警報が２つ以上ある場合は最新の警報発生時刻を持つ警報を表示する、
ことを特徴とする請求項６に記載の警報監視方法。
【請求項８】
前記警報監視装置が、さらに、保留タイマ、を備える場合に、
前記表示制御ステップでは、受信した警報に含まれるパスＩＤについて、最初に当該パスＩＤのパスについての警報を受信した後、または、当該パスＩＤについて警報発生中パスリストを表示してから最初に当該パスＩＤのパスについての警報を受信した後、前記保留タイマで規定された期間が経過するまで、前記警報発生中パスリストに表示する処理を待機する、
ことを特徴とする請求項６に記載の警報監視方法。
【請求項９】
前記警報監視装置が、さらに、ネットワーク内で確立されているパスのＩＤ、パスを構成する伝送装置および伝送路の情報を記録するためのパスデータベース、を備える場合に、
前記表示制御ステップでは、所定の伝送装置または伝送路を経路とするパスを非表示とする表示マスク指示を受け付けた場合、前記パスデータベースを検索して当該指示された伝送装置または伝送路を経路とするパスの情報を取得し、取得したパスについて警報発生中パスリストに非表示とする制御を行う、
ことを特徴とする請求項６に記載の警報監視方法。
【請求項１０】
前記警報監視装置が、さらに、ネットワーク内で確立されているパスのＩＤ、パスを構成する伝送装置および伝送路の情報を記録するためのパスデータベース、を備える場合に、
前記表示制御ステップでは、所定の伝送装置または伝送路を経路とするパスを非表示とする表示マスク指示を受け付けた場合、前記パスデータベースを検索して当該指示された伝送装置または伝送路を経路とするパスの情報を取得し、取得したパスについて、予め規定された期間だけ警報発生中パスリストに非表示とする制御を行う、
ことを特徴とする請求項６に記載の警報監視方法。
【発明の詳細な説明】
【技術分野】
【０００１】
本発明は、通信ネットワークにおいて障害が発生した際に送信される警報を監視する警報監視装置に関する。
【背景技術】
【０００２】
従来、通信ネットワークで障害が発生した際に、障害を検知した個所から警報を送信し、その警報を監視する警報監視装置がある。例えば、下記特許文献１において、多数のノードから連鎖的に警報が発生する通信ネットワークのようなシステムでは、警報監視装置が、発生した警報を監視し、一定時間内に同種類の警報が多数発生している場合、１つの警報を代表警報としてオペレータに表示することで、オペレータが迅速に大量の警報を認識できるようにする技術が開示されている。【０００３】
また、下記特許文献２において、警報監視装置が、発生する警報の相関関係や発生頻度を学習し、統計的に関連性のある警報のみを選別して表示することによって、オペレータが警報原因特定に必要な警報を自動的に選別し、オペレータの作業負荷を軽減させる技術が開示されている。
【先行技術文献】
【特許文献】
【０００４】
【特許文献１】特開２００２−５７６６６号公報
【特許文献２】特開平８−２８８９４４号公報
【発明の概要】
【発明が解決しようとする課題】
【０００５】
しかしながら上記従来の技術によれば、多数のノードから連鎖的に多数の警報が発生した場合、警報監視装置は、オペレータに表示する警報情報を絞り込むため、派生的に発生している警報をフィルタして原因警報のみを自動的に抽出してオペレータに表示している。そのため、上記特許文献１の技術では、管理対象のシステムに新しい装置や機能が追加されるたびに、警報の依存関係を解析するプログラムを修正する必要がある、という問題があった。また、上記特許文献２の技術では、新しい依存関係を自動的に学習するが完了までに時間がかかる、という問題があった。【０００６】
本発明は、上記に鑑みてなされたものであって、連鎖的な警報が多数発生する通信ネットワークにおいて、多種多様な警報の依存関係に関係なく、オペレータのために効果的に警報情報を絞り込んで表示することが可能な警報監視装置を得ることを目的とする。
【課題を解決するための手段】
【０００７】
上述した課題を解決し、目的を達成するために、本発明は、複数の伝送装置を備え、１つの伝送装置と他の１つの伝送装置とを、伝送路、または伝送路および前記２つの伝送装置以外の伝送装置、で接続した経路をパスとして確立するネットワークにおいて、前記伝送装置または前記伝送路で障害が発生した場合に、障害を検知した伝送装置から送信される警報を監視する警報監視装置であって、前記警報に含まれる検出時刻、発生場所、警報重要度、および前記発生場所を経路とするパスのＩＤの情報を記録するための警報データベースと、受信した警報の情報を前記警報データベースに登録し、前記警報データベースから、パスＩＤごとに、警報重要度および検出時刻に基づいて１つの警報を抽出し、前記検出時刻を警報発生時刻として、抽出した警報のパスＩＤについて、前記警報発生時刻および前記警報重要度を関連付けて警報発生中パスリストとして表示する制御を行う監視制御手段と、を備えることを特徴とする。
【発明の効果】
【０００８】
本発明にかかる警報監視装置は、オペレータのために効果的に警報情報を絞り込んで表示することができる、という効果を奏する。
【図面の簡単な説明】
【０００９】
【図１】図１は、通信ネットワークの構成例を示す図である。
【図２】図２は、警報発生中パスリストの構成例を示す図である。
【図３】図３は、パスＤＢの構成例を示す図である。
【図４】図４は、警報発生中パスリストの構成例を示す図である。
【図５】図５は、発生中警報リストの構成例を示す図である。
【図６】図６は、通信ノードから警報監視装置への警報経路を示す図である。
【図７】図７は、警報受信時の処理を示すフローチャートである。
【図８】図８は、警報発生中パスリストを表示するまでの処理を示すフローチャートである。
【図９】図９は、伝送路とパスの関係を示す図である。
【図１０】図１０は、表示マスク設定時の処理を示すフローチャートである。
【図１１】図１１は、通信ネットワークの構成例を示す図である。
【図１２】図１２は、パスＤＢの構成例を示す図である。
【図１３】図１３は、マスクＤＢの構成例を示す図である。
【図１４】図１４は、警報発生中パスリストの構成例を示す図である。
【図１５】図１５は、警報発生中パスリストを表示するまでの処理を示すフローチャートである。
【図１６】図１６は、表示マスク設定時の処理を示すフローチャートである。
【図１７】図１７は、表示マスク解除時の処理を示すフローチャートである。
【発明を実施するための形態】
【００１０】
以下に、本発明にかかる警報監視装置の実施の形態を図面に基づいて詳細に説明する。なお、この実施例によりこの発明が限定されるものではない。
【００１１】
実施の形態１．
図１は、本実施の形態の警報監視装置が監視する通信ネットワークの構成例を示す図である。通信ネットワークは、警報監視装置１と、監視用ネットワーク２と、通信ノード１００−１〜１００−Ｎと、を備える。
【００１２】
警報監視装置１は、各通信ノード１００−１〜１００−Ｎが送信する警報を集中管理し、通信ネットワークに対して管理責任を持つオペレータに対して、警報発生を通知し、警報情報を提供する。警報監視装置１は、監視制御部１１と、表示部１２と、パスデータベース（ＤＢ）１３と、警報データベース（ＤＢ）１４と、を備える。
【００１３】
監視制御部１１は、警報監視装置１全体の動作を制御し、各通信ノード１００−１〜１００−Ｎから送信された警報を受信し、警報ＤＢ１４に保存する。また、監視制御部１１は、表示部１２に、通信障害の発生しているパスを一覧表形式の警報発生中パスリストとして表示する。
【００１４】
警報発生中パスリストについて説明する。図２は、警報発生中パスリストの構成例を示す図である。警報発生中パスリストは、警報が発生中、すなわち、通信障害が発生中であるパスのリストであり、オペレータに対して表示するリストである。警報発生中パスリストには、パスＩＤごとに、警報発生時刻、警報重要度が表示される。また、リストは、警報発生時刻でソートされて表示される。最新の警報発生時刻を持つパスＩＤが先頭に表示される。図２の先頭では、例えば、警報発生時刻「２０１０／１１／１６  １２：１０：０９」に、パスＩＤ「○○××」で、警報重要度「Ｍａｊｏｒ」の警報が発生したことを示している。
【００１５】
表示部１２は、監視制御部１１によって生成された警報発生中パスリスト等を表示するための表示部である。表示部１２としては、例えば、モニタ等があるが、画面上に表示するものに限定するものではなく、プリンタ等を用いてもよい。
【００１６】
パスＤＢ１３は、通信ネットワークに構成されているパスの、パスＩＤ、表示マスクフラグ、警報重要度、警報発生時刻、経路情報、すなわち、通過する通信ノード、伝送装置、伝送路の情報を記録するためのデータベースである。
【００１７】
図３は、パスＤＢ１３の構成例を示す図である。上述の内容についてパスＩＤごとに記録したものである。例えば、パスＩＤ「○○○○」は、表示マスクフラグが「ＯＦＦ」、警報重要度が「Ｍａｊｏｒ」、警報発生時刻が「２０１０／１１／１６  １１：１２：１５」、経路情報が「ノード１装置１、伝送路Ｎ伝送路３、ノードＮ装置１」であることを示す。
【００１８】
パスＤＢ１３において、表示マスクフラグは、ＯＮの場合、警報発生時であっても、警報発生中パスリスト上にパスを表示しないことを示すフラグである。警報重要度は、そのパスで発生中の警報のうち、最も高い重要度を持つ警報の警報重要度である。警報発生時刻は、その警報重要度をもつ警報のうち、最も直近で発生した警報の発生時刻である。
【００１９】
ここで、表示マスクフラグがＯＮ場合の警報発生中パスリストについて説明する。図４は、警報発生中パスリストの構成例を示す図である。図３に示すパスＤＢ１３では、パスＩＤ「□△○」、「○○××」、「×××□」の項目で表示マスクフラグがＯＮになっている。この図３の条件を図２にあてはめると、「○○××」、「×××□」の２つパスが該当する。すなわち、図２に示す警報発生中パスリストから該当する「○○××」、「×××□」のパスＩＤについて非表示としたものが図４に示す警報発生中パスリストとなる。このとき、監視制御部１１は、パスＤＢ１３において表示マスクフラグがＯＮのパスＩＤを持つパスについては、表示部１２上に表示しない制御を行う。詳細な動作については後述する。
【００２０】
警報ＤＢ１４は、発生中の警報の詳細情報を蓄えるためのデータベースである。全ての警報ごとに、警報の発生場所情報、検出時刻、警報種別、警報種別ごとにあらかじめ定められた警報重要度、関連するパスの識別子（ＩＤ）を記録する。なお、監視制御部１１は、オペレータが参照できるように、警報ＤＢ１４の内容を発生中警報リストとして表示部１２に表示することができる。
【００２１】
図５は、発生中警報リストの構成例を示す図である。上述の内容について全ての警報を記録したものである。例えば、検出時刻「２０１０／１１／１６  １２：１０：０９」に、発生場所「ノード３装置１」で、警報種別「ｘｘｘｘ」、警報重要度「Ｍａｊｏｒ」、関連パスＩＤ「○○××」の警報が発生したことを示す。
【００２２】
図１に示す通信ネットワークの構成に戻って、監視用ネットワーク２は、通信ノード１００−１〜１００−Ｎと警報監視装置１との間の通信を実現するための、専用ネットワークである。
【００２３】
通信ノード１００−１〜１００−Ｎは、それぞれ、ノード管理装置と複数の伝送装置から構成される通信ノードである。それぞれの通信ノード１００−１〜１００−Ｎは、伝送路を用いた通信サービスを提供するための、多数のクライアントインタフェースを備えている。
【００２４】
伝送路は、通信ノード間を相互に接続する通信路であり、例えば、メトロネットワークや海底ケーブルシステムの光ファイバケーブル等があるが、これに限定するものではない。また、図１では、全通信ノードがリニアトポロジーで接続されるように伝送路を配しているが、これに限定するものではなく、通信ノードがリングトポロジーまたはメッシュトポロジーとなるように伝送路を配してもよい。
【００２５】
つぎに、図１に示す通信ネットワークにおいて、障害が発生した場合の警報監視装置への警報の流れについて説明する。図６は、通信ノードから警報監視装置への警報経路を示す図である。まず、通信ノードの構成について説明する。通信ノード１００−１は、ノード管理装置１０１−１と、伝送装置２０１−１、２０１−２、…、２０１−ｎと、を備える。
【００２６】
ノード管理装置１０１−１は、通信ノード１００−１を構成する装置の１つであり、通信ノード１０１−１を構成する伝送装置２０１−１、２０１−２、…、２０１−ｎからの警報を警報管理装置１に送信する管理装置である。
【００２７】
伝送装置２０１−１、２０１−２、…、２０１−ｎは、通信ノード１００−１を構成する装置であり、複数のクライアントインタフェースを有し、伝送路を用いて他の通信ノードに属する伝送装置とのデータの送受信を実現する伝送装置である。
【００２８】
通信ノード１００−１について説明したが、通信ノード１００−２、…、通信ノード１００−Ｎについても同様の構成を備える。
【００２９】
伝送路３１、３２は、通信ノード間を接続する。図１に示す伝送路と同じである。なお、図６では、一例として、パス４１が使用する伝送路のみを記載する。
【００３０】
パス４１は、起点となる１つの伝送装置（以後、Ｉｎｇｒｅｓｓ伝送装置とする）の１つのクライアントインタフェースと、終端となる他の１つの伝送装置（以後、Ｅｇｒｅｓｓ伝送装置とする）の１つのクライアントインタフェース間を結ぶ予め構成された通信路である。Ｉｎｇｒｅｓｓ伝送装置とＥｇｒｅｓｓ伝送装置が直接伝送路で接続されていない場合、パス４１は途中の通信ノードで中継される。図６では、中継する通信ノード（図の通信ノード２）が、２つの伝送装置のクライアントインタフェースを直接接続して中継しているが、クライアントインタフェースを介さずに接続する構成をとってもよい。通信ネットワークには多くのパスが構成されるため、それぞれのパスには、一意に識別するためのパスＩＤが付与されている。
【００３１】
伝送路や伝送装置の故障が発生した場合、故障が発生した伝送装置または故障した伝送路に接続された伝送装置（多くの場合、信号の受信側伝送装置）と、その通信方向の下流の伝送装置が、検出した異常をネットワークを管理するオペレータに通知するために警報を送信する。このとき、伝送装置が、障害を検出し、ノード管理装置、監視用ネットワーク２を介して、警報を警報監視装置１に送信する。送信される警報には、警報の発生場所情報、検出時刻、警報種別、警報種別ごとにあらかじめ定められた重要度、関連する（当該発生場所を経路とする）パスの識別子、の情報が含まれる。
【００３２】
なお、図３に示すパスＤＢ１３において識別番号で表示された「ノード１装置１」は、図６における通信ノード１００−１の伝送装置２０１−１に対応する。表記の都合上、ＤＢ１３における識別番号を簡略化した表記としているが、同一の表記方法で表示してもよい。
【００３３】
つぎに、警報監視装置１における警報監視動作について説明する。パス４１の経路上の伝送装置２０２−１で障害が発生した場合、まず、伝送装置２０２−１は、ノード管理装置１０１−２、監視ネットワーク２を経由して、警報監視装置１に警報を送信する。さらに、パス４１において、伝送装置２０２−１の下流に位置し、通信ノード１００−２〜１００−Ｎのパス４１上にある伝送装置２０２−２や伝送装置（２００＋Ｎ）−１が、次々にノード管理装置１０１−２やノード管理装置１０１−Ｎ、監視ネットワーク２を経由して、警報監視装置１に警報を送信する。
【００３４】
すなわち、伝送装置２０２−１で障害が発生した場合、警報監視装置１では、監視制御部１１が、パス４１上の伝送装置２０２−１と、それより下流の伝送装置から、次々に多数の警報を受信する。なお、警報が警報監視装置１に到着する順序は、必ずしも伝送装置２０２−１が送信した警報が最初に到着するとは限らず、順不同で到着する。
【００３５】
警報を受信した警報監視装置１では、まず、監視制御部１１が、受信した警報に関連するパスについて、保留タイマを確認する。保留タイマとは、警報を受信してからタイマで設定した期間、受信した警報に関するパスについて警報発生中パスリストに表示するための処理を待機するためのタイマである。警報発生中パスリストに表示される内容が短時間で頻繁に更新されることを防止するためのものである。保留タイマは、例えば、図３の経路情報の項目に示された構成が関連する１つのパスごとに１つの保留タイマを対応付けて設定する方法があるが、これに限定するものではなく、複数のパスについて１つの保留タイマを対応付けて設定するようにしてもよい。
【００３６】
図７は、警報受信時の処理を示すフローチャートである。警報監視装置１では、監視制御部１１が、警報を受信すると（ステップＳ１）、当該警報に含まれる関連パスＩＤで示されるパスについて、保留タイマが起動中であるか確認する（ステップＳ２）。保留タイマが起動していない場合（ステップＳ２：Ｎｏ）、監視制御部１１は、当該関連パスＩＤで示されるパスについて保留タイマを起動して（ステップＳ３）、警報ＤＢ１４に警報を登録する（ステップＳ４）。一方、当該警報に含まれる関連パスＩＤで示されるパスについて、保留タイマが起動中の場合（ステップＳ２：Ｙｅｓ）、監視制御部１１は、警報ＤＢ１４に警報を登録する（ステップＳ４）。監視制御部１１は、以上の処理を受信した全ての警報について繰り返し実行する。
【００３７】
つぎに、警報監視装置１において、保留タイマ満了後、警報発生中パスリストを表示するまでの処理について説明する。図８は、警報発生中パスリストを表示するまでの処理を示すフローチャートである。保留タイマが満了すると（ステップＳ１１）、監視制御部１１は、その保留タイマに対応付けられた関連パスのパスＩＤを持つ警報情報を警報ＤＢ１４で分別する（ステップＳ１２）。つぎに、監視制御部１１は、分別された警報のうちで、最も優先度の高い警報重要度を持つ警報を抽出する（ステップＳ１３）。例えば、警報重要度がＭａｊｏｒ、Ｍｉｎｏｒ、Ｗａｒｎｉｎｇの３つが定められている場合、警報データベースにＭａｊｏｒ、Ｍｉｎｏｒ、Ｗａｒｎｉｎｇの警報が含まれているとき、監視制御部１１は、Ｍａｊｏｒの警報を抽出する。また、Ｍｉｎｏｒ、Ｗａｒｎｉｎｇのみの警報が含まれているときは、Ｍｉｎｏｒの警報を抽出する。つぎに、監視制御部１１は、抽出した最も優先度の高い警報重要度を持つ警報のうち、検出時刻が最新の警報を選択し、選択した検出時刻を警報発生時刻とする（ステップＳ１４）。そして、監視制御部１１は、以上で決定した警報重要度と警報発生時刻を、パスＤＢ１３の該当パスのデータとして登録する（ステップＳ１５）。
【００３８】
そして、監視制御部１１は、パスＤＢ１３において該当パスの表示マスクフラグがＯＮかどうかを確認し（ステップＳ１６）、表示マスクフラグがＯＦＦの場合に（ステップＳ１６：Ｎｏ）、パスＤＢ１３に登録されたパスＩＤと警報重要度、警報発生時刻を、表示部１２に警報発生中パスリストとして表示する（ステップＳ１７）。このとき、既に表示中のパスがある場合は、警報発生時刻でソートし、一番新しい警報発生時刻を持つパスがリストの先頭になるように表示する。一方、表示マスクフラグがＯＮの場合（ステップＳ１６：Ｙｅｓ）、監視制御部１１は、警報発生中パスリストに表示することなく処理を終了する。
【００３９】
ここで、伝送路である光ケーブルの切断といった、重大な障害が発生した場合の対応について説明する。図９は、伝送路とパスの関係を示す図である。例えば、ＷＤＭ（Wavelength  Division  Multiplex）技術を用いた通信ネットワークでは、１本の光ケーブルに多数の波長が多重化されて、それぞれが異なる情報の通信に用いられる。すなわち、１本の光ケーブルを数十、数百のパスが使用する。なお、これらのパスのＩｎｇｒｅｓｓ伝送装置とＥｇｒｅｓｓ伝送装置は、必ずしも一致するとは限らない。このような通信ネットワークで伝送路の切断（例えば、図９における通信ノード１００−２、１００−３間の伝送路である光ケーブルの切断）といったような障害が発生すると、多数のパスが一度に障害となり、それぞれのパスが前述の警報発生時の処理により、警報発生中パスリストに表示される。
【００４０】
そのため、オペレータは、警報監視装置１の表示部１２において、ほぼ同時刻に多数のパスが障害となったことを確認し、その結果、通信ノード１００−２、１００−３間の伝送路の障害を認識すると、監視制御部１１に対して、警報発生中パスリストで通信ノード１００−２、１００−３間の伝送路を指定して、表示マスクを指示することができる。図１０は、表示マスク指定時の処理を示すフローチャートである。まず、オペレータから表示マスクが指定されると（ステップＳ２１）、監視制御部１１は、表示マスクを指定された伝送装置や伝送路、例えば、通信ノード１００−２、１００−３間の伝送路を通過するパスを、パスＤＢ１３で検索し（ステップＳ２２）、通過するパスの表示マスクフラグをＯＮする（ステップＳ２３）。そして、監視制御部１１は、警報発生中パスリストの表示をクリア後（ステップＳ２４）、表示マスクフラグがＯＦＦの各パスについて、警報発生中警報リストに表示する（ステップＳ２５）。これにより、オペレータが表示マスクを指定した、既知の故障により警報発生中となっているパスについて、警報発生中パスリストに非表示とすることができる。
【００４１】
なお、表示マスクフラグのＯＮ／ＯＦＦを設定する場合について説明したが、例えば、表示マスクフラグを設定できない構成にすることも可能である。この場合、図８において、ステップＳ１５で登録した内容を、そのままステップＳ１７で警報発生中パスリストとして表示すればよい。
【００４２】
以上説明したように、本実施の形態では、１つの障害により複数の警報が発生する通信ネットワークにおいて、警報監視装置１では、監視制御部１１が、パスＩＤごとに、各パスについて、最も優先度の高い警報重要度のうち最新の警報のみを警報発生中パスリストとして表示することとした。これにより、障害発生中パスはそれぞれが１行で警報重要度と共に表示され、オペレータは多数のパスの状態を同時に確認することができ、重大な警報が発生しているパスから障害対策のための処理を開始できる。
【００４３】
また、監視制御部１１は、警報発生中パスリストを警報発生時刻でソートし、最新の警報発生時刻をもつパスを先頭に表示する。これにより、既に障害が発生中のパスにおいて、先の障害とは無関係の障害が時間を置いて発生した場合に、パスの表示がリストの先頭に変更されるので、オペレータは容易に新たな障害が発生したことを認識することができる。
【００４４】
また、監視制御部１１は、警報発生中パスリストの更新を、保留タイマを使って最初の警報が発生してから規定時間後に行うこととした。これにより、通信ネットワークが海底ケーブルシステムのような広域のネットワークで、各通信ノードが送信する警報が警報監視装置１に到着する時刻にタイムラグが発生する場合においても、１つの障害により発生する多数の警報のそれぞれについて警報ＤＢ１４の検索を行わないため、監視制御部１０１の処理負荷を軽減することができる。
【００４５】
また、監視制御部１１は、警報発生中パスリストに表示する警報情報の選定を、警報種別によらず、警報重要度と発生時刻で処理している。そのため、通信ネットワークに新しい装置が追加され、警報種別が増えた場合でも、警報監視装置１では、警報種別について修正を行う必要がない。
【００４６】
また、伝送路の故障といった多数のパスが警報発生中となる障害が発生した場合、オペレータが既知の障害が発生している伝送路や伝送装置を経由するパスについて、表示マスク機能を使用して警報発生中パスリストに非表示とすることができる。これにより、既知の障害とは関係のない他の故障に由来する警報発生中パスを容易にオペレータが警報発生中パスリストで発見することができる。
【００４７】
実施の形態２．
実施の形態１では、警報発生中パスリストにおいて、表示マスクに指定された伝送装置または伝送路を通過するパスについて、警報発生中であっても警報発生中パスリストに表示しないようにした。本実施の形態では、表示マスクの指定から一定時間経過後に新たに警報が発生した場合は、警報発生中パスリストにパスを表示する。実施の形態１と異なる部分について説明する。
【００４８】
図１１は、本実施の形態の警報監視装置が監視する通信ネットワークの構成例を示す図である。通信ネットワークは、警報監視装置１ａと、監視用ネットワーク２と、通信ノード１００−１〜１００−Ｎと、を備える。警報監視装置１に代えて警報監視装置１ａを備える点が実施の形態１（図１参照）と異なる。
【００４９】
警報監視装置１ａは、各通信ノード１００−１〜１００−Ｎが送信する警報を集中管理し、通信ネットワークに対して管理責任を持つオペレータに対して、警報発生を通知し、警報情報を提供する。警報監視装置１ａは、監視制御部１１ａと、表示部１２と、パスデータベース（ＤＢ）１３ａと、警報データベース（ＤＢ）１４と、マスクデータベース（ＤＢ）１５と、を備える。
【００５０】
監視制御部１１ａは、警報監視装置１ａ全体の動作を制御し、各通信ノード１００−１〜１００−Ｎから送信された警報を受信し、警報ＤＢ１４に保存する。また、監視制御部１１ａは、表示部１２に、通信障害の発生しているパスを一覧表形式の警報発生中パスリストとして表示する。
【００５１】
パスＤＢ１３ａは、実施の形態１（図３参照）と同様のデータベースであるが、各パスについて、表示マスクフラグに代えて表示マスク終了時刻が記録される点が異なる。
【００５２】
図１２は、パスＤＢ１３ａの構成例を示す図である。通信ネットワークに構成されているパスの、パスＩＤ、表示マスク終了時刻、警報重要度、警報発生時刻、経路情報を記録したものである。パスＤＢ１３ａにおいて、表示マスク終了時刻は、設定された時刻までは、警報発生時であっても、警報発生中パスリスト上にパスを表示しないことを示す。例えば、パスＩＤ「○○××」は、表示マスク終了時刻が「２０１０／１１／０６  １０：１０：００」、警報重要度が「Ｍａｊｏｒ」、警報発生時刻が「２０１０／１１／１６  １２：１０：０９」、経路情報が「ノード１装置１、伝送路１伝送路６、ノード２装置１、伝送路２伝送路６、ノード３装置１、伝送路３伝送路６」であることを示す。すなわち、パスＩＤ「○○××」のパスについては、「２０１０／１１／０６  １０：１０：００」までは警報発生中パスリスト上に表示されないことを示す。
【００５３】
マスクＤＢ１５は、通信ネットワークに設置された各伝送装置または伝送路のＩＤについて、表示マスクを終了する時刻が格納されたデータベースである。
【００５４】
図１３は、マスクＤＢ１５の構成例を示す図である。マスクＤＢ１５は、マスク個所と、表示マスク終了時刻と、から構成される。マスク個所は、さらに、伝送装置と、伝送路と、から構成され、マスク表示を設定した個所を示す。表示マスク終了時刻は、マスク表示を設定した個所について、非表示とする時刻を示す。ここでは、マスク個所「伝送路１」について、表示マスク終了時刻「２０１０／１１／０６  １０：１０：００」が設定されていることを示す。
【００５５】
ここで、表示マスク終了時刻が設定された場合の警報発生中パスリストについて説明する。図１４は、警報発生中パスリストの構成例を示す図である。図１３に示すマスクＤＢ１５では、「伝送路１」に表示マスク終了時刻「２０１０／１１／０６  １０：１０：００」が設定されている。この図１３の条件を図１２にあてはめると、図１２に示すパスＤＢ１３ａにおいて、「伝送路１」に該当するパスＩＤ「□△○」、「○○××」、「×××□」の項目で表示マスク終了時刻が設定されている。この場合、図２に示す警報発生中パスリストから、該当する「×××□」のパスＩＤについて非表示としたものが図１４の警報発生中パスリストとなる。
【００５６】
つぎに、本実施の形態における警報監視装置１ａにおける警報監視動作について説明する。伝送装置が警報を送信し、警報監視装置１ａが警報を受信するまでの動作は、実施の形態１と同様である。また、警報監視装置１ａは、警報を受信すると実施の形態１と同様、図７に示す警報受信時の処理を実施する。
【００５７】
つぎに、警報監視装置１ａにおいて、保留タイマ満了後、警報発生中パスリストを表示するまでの処理について説明する。図１５は、警報発生中パスリストを表示するまでの処理を示すフローチャートである。保留タイマが満了してから（ステップＳ１１）パスＤＢ１３ａの該当パスのデータとして登録する（ステップＳ１５）までの処理は、パスＤＢ１３をパスＤＢ１３ａに変更する点を除き、実施の形態１（図８参照）と同様である。
【００５８】
そして、監視制御部１１ａは、パスＤＢ１３ａの該当パスの警報発生時刻を確認し（ステップＳ３１）、警報発生時刻が表示マスク終了時刻以後の場合に（ステップＳ３１：Ｙｅｓ）、パスＤＢ１３ａに登録されたパスＩＤと警報重要度、警報発生時刻を、表示部１２に警報発生中パスリストとして表示する（ステップＳ１７）。このとき、既に表示中のパスがある場合は、警報発生時刻でソートし、一番新しい警報発生時刻を持つパスがリストの先頭になるように表示する。一方、警報発生時刻が表示マスク終了時刻より前の場合（ステップＳ３１：Ｎｏ）、監視制御部１１ａは、警報発生中パスリストに表示することなく処理を終了する。
【００５９】
つぎに、オペレータが表示マスクを指定する場合について説明する。図１６は、表示マスク指定時の処理を示すフローチャートである。まず、オペレータによって表示マスクが指定されると（ステップＳ４１）、監視制御部１１ａは、指定された伝送装置や伝送路をマスクＤＢ１５で検索する（ステップＳ４２）。新たに指定された伝送装置や伝送路に該当する情報がマスクＤＢ１５になかった場合（ステップＳ４３：Ｎｏ）、新しいマスクの情報として、指定された伝送装置や伝送路のＩＤと現在の時刻から規定時間後の時刻を表示マスク終了時刻として登録する（ステップＳ４４）。そして、監視制御部１１ａは、指定された伝送路または伝送装置を通過するパスをパスＤＢ１３ａで検索し（ステップＳ４５）、該当するパスが見つかった場合、そのパスのパスＤＢ１３ａ内の警報発生時刻と表示マスク終了時刻を確認し、表示マスク終了時刻がクリアされている、または警報発生時刻が表示マスク終了時刻より新しい場合は警報発生中パスリストに表示中のため、そのパスを警報発生中パスリストから消し（ステップＳ４６）、パスＤＢ１３ａの表示マスク終了時刻をマスクＤＢ１５の表示マスク終了時刻に更新する（ステップＳ４７）。
【００６０】
一方、指定された伝送装置や伝送路をマスクＤＢ１５で検索した結果（ステップＳ４２）、該当する情報があった場合（ステップＳ４３：Ｙｅｓ）、マスクＤＢ１５の表示マスク終了時刻を現在の時刻から規定時間後の時刻に更新する（ステップＳ４８）。そして、ステップＳ４５以降の処理を継続する。
【００６１】
つぎに、オペレータが表示マスクを解除したときの動作について説明する。図１７は、警報監視装置１ａにおける、表示マスク解除時の処理を示すフローチャートである。監視制御部１１ａは、オペレータから表示マスクの解除を指示されると（ステップＳ５１）、表示マスク解除を指定された伝送装置や伝送路をマスクＤＢ１５で検索し、該当する情報を削除する（ステップＳ５２）。監視制御部１１ａは、表示マスクが解除された伝送路または伝送装置を通過するパスをパスＤＢ１３ａで検索する（ステップＳ５３）。
【００６２】
監視制御部１１ａは、該当するパスが見つかった場合、該当するパスについて、通過する他の伝送路または伝送装置の情報がマスクＤＢ１５に登録されているか検索する（ステップＳ５４）。監視制御部１１ａは、該当するマスク情報が見つからなかったパスについて（ステップＳ５５：Ｎｏ）、パスＤＢ１３ａにおいて該当するパスＩＤの表示マスク終了時刻をクリアし（ステップＳ５６）、警報発生中時刻が登録されている、つまり、警報発生中である場合は、当該パスについて、パスＩＤ、警報発生時刻、警報重要度を警報発生中パスリストに表示する（ステップＳ５７）。
【００６３】
一方、監視制御部１１ａは、該当するマスク情報が見つかったパスについて（ステップＳ５５：Ｙｅｓ）、そのマスク情報のうち、表示マスク終了時刻が最新の時刻をパスＤＢ１３ａのそのパスの表示マスク終了時刻としてコピーする（ステップＳ５８）。そして、そのパスについてパスＤＢ１３ａに登録されている警報発生時刻が表示マスク終了時刻以後の場合（ステップＳ５９：Ｙｅｓ）、監視制御部１１ａは、そのパスを警報発生中パスリストに表示する（ステップＳ５７）。パスの警報発生時刻が表示マスク終了時刻より前の場合（ステップＳ５９：Ｎｏ）、監視制御部１１ａは、警報発生中パスリストに表示せずに処理を終了する。
【００６４】
以上説明したように、本実施の形態では、監視制御部１１ａは、表示マスクするパスについて非表示とする規定の時間を設定し、表示マスクに該当するパスについて、規定の時間だけ警報発生中パスリストに表示しないこととした。これにより、認識済みの故障に関連する警報が警報監視装置に到着し終わる規定時間分の警報だけ警報発生中パスリストに表示せず、すでに認識済みの障害とは無関係の警報が新たにパス上に発生した分については、警報発生中パスリストに表示することができ、同一パス上に全く依存性のない故障が重複発生した場合において、オペレータは警報を発見することができる。
【産業上の利用可能性】
【００６５】
以上のように、本発明にかかる警報監視装置は、ネットワークの監視に有用であり、特に、同一原因による警報が複数発生するネットワークに適している。
【符号の説明】
【００６６】
１、１ａ  警報監視装置
２  監視用ネットワーク
１１、１１ａ  監視制御部
１２  表示部
１３、１３ａ  パスデータベース（ＤＢ）
１４  警報データベース（ＤＢ）
１５  マスクデータベース（ＤＢ）
３１、３２  伝送路
４１  パス
１００−１、１００−２、１００−３、…、１００−Ｎ  通信ノード
１０１−１、１０１−２、…、１０１−Ｎ  ノード管理装置
２０１−１、２０１−２、…、２０１−ｎ、２０２−１、２０２−２、…、２０２−ｎ、…、（２００＋Ｎ）−１、（２００＋Ｎ）−２、…、（２００＋Ｎ）−ｎ  伝送装置
【図１】
2012081076.tif 000003
【図２】
2012081076.tif 000004
【図３】
2012081076.tif 000005
【図４】
2012081076.tif 000006
【図５】
2012081076.tif 000007
【図６】
2012081076.tif 000008
【図７】
2012081076.tif 000009
【図８】
2012081076.tif 000010
【図９】
2012081076.tif 000011
【図１０】
2012081076.tif 000012
【図１１】
2012081076.tif 000013
【図１２】
2012081076.tif 000014
【図１３】
2012081076.tif 000015
【図１４】
2012081076.tif 000016
【図１５】
2012081076.tif 000017
【図１６】
2012081076.tif 000018
【図１７】
2012081076.tif 000019
【国際調査報告】
2012081076.tif 000020
2012081076.tif 000021
2012081076.tif 000022
2012081076.tif 000023